(57)【要約】【課題】ネームプレートを容易に筐体から取り外せるとともに、ネームプレートを筐体から取り外すための構造が占める筐体上のスペースを抑制することができるネームプレートの取り付け構造を提供すること。【解決手段】ネームプレート１４が取り付けられる取り付け部１８は、筐体１６にネームプレート１４が取り付けられた状態において、ネームプレート１４と取り付け部１８の底部１８ａとの間に、支点Ｅを回動中心としてネームプレート１４を回動可能にする空間を有する。【選択図】図６
2018031997.tif 000002
【特許請求の範囲】
【請求項１】
筐体にネームプレートを着脱可能に取り付けるネームプレートの取り付け構造であって、
前記ネームプレートは、
板状に形成された本体部と、
前記本体部の面から突出して形成された突出部と、
を有し、
前記筐体は、
前記ネームプレートが取り付けられる凹部と、
前記凹部の底部に形成され、前記突出部を挟持する挟持部と、
前記ネームプレートの前記凹部の底部側と対向する部分に接し、前記ネームプレートが回動するときの支点となる支点部と、
を有し、
前記凹部は、前記筐体に前記ネームプレートが取り付けられた状態において、前記ネームプレートと前記凹部の底部との間に、前記支点を回動中心として前記ネームプレートを回動可能にする空間を有する
ことを特徴とするネームプレートの取り付け構造。
【請求項２】
請求項１に記載のネームプレートの取り付け構造であって、
前記支点部は前記挟持部に設けられる
ことを特徴とするネームプレートの取り付け構造。
【請求項３】
請求項２に記載のネームプレートの取り付け構造であって、
前記挟持部の上面は、前記挟持部が前記突出部を挟持している状態で、前記本体部と接し、
前記挟持部の上面の一部が前記支点部として機能する
ことを特徴とするネームプレートの取り付け構造。
【請求項４】
請求項１に記載のネームプレートの取り付け構造であって、
前記支点部は前記挟持部とは別体の支持部に設けられる
ことを特徴とするネームプレートの取り付け構造。
【請求項５】
請求項４に記載のネームプレートの取り付け構造であって、
前記支持部の上面は、前記挟持部が前記突出部を挟持している状態で、前記本体部と接し、
前記支持部の上面の一部が前記支点部として機能する
ことを特徴とするネームプレートの取り付け構造。
【請求項６】
請求項１〜５のいずれか１項に記載のネームプレートの取り付け構造であって、
前記支点部は前記挟持部を挟んで両側に形成される
ことを特徴とするネームプレートの取り付け構造。
【請求項７】
請求項１〜６のいずれか１項に記載のネームプレートの取り付け構造であって、
前記突出部は、前記突出部が設けられる前記本体部の面に対して平行に延びる略円柱形状に形成され、
前記挟持部の前記突出部を挟持する部分の互いに対向する面は、略円弧状に形成されている
ことを特徴とするネームプレートの取り付け構造。
【発明の詳細な説明】
【技術分野】
【０００１】
本発明は、ネームプレートを筐体に着脱可能に取り付けるネームプレートの取り付け構造に関する。
【背景技術】
【０００２】
複数のコネクタを有する入出力ユニット等の電子機器においては、作業者がコネクタの名称を識別できるように、電子機器の筐体のコネクタ付近にコネクタの名称を示したネームプレートが設けられる。製品の種類によってコネクタの名称が異なるため、ネームプレートの取り付け及び取り外しが容易であることが求められる。ネームプレートを筐体に取り付ける構造として、次のような技術が開発されている。
【０００３】
特許文献１には、テレビジョン受信機の銘板をベズルに取り付ける技術が開示されている。この技術では、銘板の背面に突出する係止用の突起が一体的に植設され、ベズルに銘板の突起を係止する係止孔が形成されている。ベズルの係止孔は銘板の突起の軸径よりも僅かに小径に形成されている。銘板の突起をベズルの係止孔に嵌入することにより、銘板がベズルに対して嵌着されている。
【０００４】
特許文献２には、箱体等のフレームに銘板を取り付ける技術が開示されている。この技術では、銘板をフレームに形成された溝にはめ込んで取り付けている。銘板をフレームから取り外すときには、銘板を上方にスライドさせて銘板の下部を溝から外し、銘板の背面をフレームの斜面に当接させて銘板を起こすようにしている。
【先行技術文献】
【特許文献】
【０００５】
【特許文献１】特開平８−３３９１６４号公報
【特許文献２】特開２００１−２９０４３０号公報
【発明の概要】
【発明が解決しようとする課題】
【０００６】
しかしながら、通常、テレビジョン受信機の銘板をベズルから取り外す必要がなく、特許文献１にも銘板をベズルから取り外す方法について開示はない。銘板をベズルから取り外す際には、工具等が必要であると考えられる。特許文献２に開示している技術では、銘板を上方にスライドさせるためのスペースを確保する必要がある。小型の電子機器では、ネームプレート（銘板）を取り付けることができるスペースは限られており、ネームプレートをスライドさせるスペースを確保できないおそれがある。また小型の電子機器では、ネームプレート自体も小型に形成されるため、ネームプレート自体にネームプレートを筐体から取り外す機構を設けることは困難である。
【０００７】
本発明は、上記の問題を解決するためになされたものであり、工具を用いたり、ネームプレートをスライドさせることなく、ネームプレートを容易に筐体から取り外すことができるネームプレートの取り付け構造を提供することを目的とする。
【課題を解決するための手段】
【０００８】
本発明は、筐体にネームプレートを着脱可能に取り付けるネームプレートの取り付け構造であって、前記ネームプレートは、板状に形成された本体部と、前記本体部の面から突出して形成された突出部と、を有し、前記筐体は、前記ネームプレートが取り付けられる凹部と、前記凹部の底部に形成され、前記突出部を挟持する挟持部と、前記ネームプレートの前記凹部の底部側と対向する部分に接し、前記ネームプレートが回動するときの支点となる支点部と、を有し、前記凹部は、前記筐体に前記ネームプレートが取り付けられた状態において、前記ネームプレートと前記凹部の底部との間に、前記支点を回動中心として前記ネームプレートを回動可能にする空間を有する。
【０００９】
ネームプレートを筐体に取り付けるときには、ネームプレートの突出部の位置を筐体の挟持部の位置に合わせた状態で、ネームプレートの本体部の挟持部と重なる部分を押下することで、突出部が挟持部に挟持される。一方、ネームプレートを筐体から取り外すときには、支点部に対して突出部が挟持部に挟持されている部分と反対側と重なるネームプレートの本体部の部分を押下する。これにより、ネームプレートが支点部を回転中心として回動し、ネームプレートの突出部が筐体の挟持部から外れる。ネームプレートの本体部の表面を押下するのみで、ネームプレートを筐体に対して容易に着脱することが可能となり、作業性を向上させることができる。したがって、工具を用いたり、ネームプレートをスライドさせることなく、ネームプレートを容易に筐体から取り外すことができる。
【００１０】
本発明は、前記ネームプレートの取り付け構造であって、前記支点部は前記挟持部に設けられてもよい。これにより、支持部を設けるために別の部材を形成する必要がなく、凹部内の構造を簡単にすることができる。したがって、筐体を成型する型の形状を簡単にすることができ、型抜きも容易に行うことができる。
【００１１】
本発明は、前記ネームプレートの取り付け構造であって、前記挟持部の上面は、前記挟持部が前記突出部を挟持している状態で、前記本体部と接し、前記挟持部の上面の一部が前記支点部として機能してもよい。これにより、ネームプレートが筐体に対して傾くことを抑制することができ、ネームプレートを安定して支持することができる。
【００１２】
本発明は、前記ネームプレートの取り付け構造であって、前記支点部は前記挟持部とは別体の支持部に設けられてもよい。これにより、支点部を挟持部に設けた場合に比べて、支点部を設ける位置を自由に設定することができ、筐体の設計自由度を高めることができる。
【００１３】
本発明は、前記ネームプレートの取り付け構造であって、前記支持部の上面は、前記挟持部が前記突出部を挟持している状態で、前記本体部と接し、前記支持部の上面の一部が前記支点部として機能してもよい。これにより、ネームプレートが筐体に対して傾くことを抑制することができ、ネームプレートを安定して支持することができる。
【００１４】
本発明は、前記ネームプレートの取り付け構造であって、前記支点部は前記挟持部を挟んで両側に形成される。ネームプレートの表面のうち、挟持部を挟んで両側のどちらの領域を押圧しても、ネームプレートを筐体から取り外すことが可能となる。よって、ネームプレートを筐体から取り外すときの作業性を向上させることができる。
【００１５】
本発明は、前記ネームプレートの取り付け構造にであって、前記突出部は、前記突出部が設けられる前記本体部の面に対して平行に延びる略円柱形状に形成され、前記挟持部の前記突出部を挟持する部分の互いに対向する面は、略円弧状に形成されている。突出部の外形に沿って挟持部の面が当接することが可能となるため、挟持部は安定して突出部を保持することができる。また、挟持部の突出部を挟持する部分の互いに対向する面がなめらかであるため、突出部を挟持部から取り外し易く、ネームプレートを筐体から容易に取り外すことができる。
【発明の効果】
【００１６】
本発明によれば、工具を用いることや、ネームプレートをスライドさせることなく、ネームプレートを容易に筐体から取り外すことができる。
【図面の簡単な説明】
【００１７】
【図１】実施形態１の入出力ユニットの斜視図である。
【図２】実施形態１の筐体の取り付け部付近の拡大図である。
【図３】図３Ａは実施形態１のネームプレートの斜視図である。図３Ｂは実施形態１のネームプレートの斜視図である。
【図４】実施形態１の筐体の取り付け部付近の拡大図である。
【図５】図５Ａは実施形態１のネームプレートを取り付けた状態の筐体の斜視断面図である。図５Ｂは実施形態１のネームプレートを取り付けた状態の筐体の断面図である。
【図６】図６Ａは実施形態１のネームプレートを筐体から取り外すときの状態を示す筐体の斜視断面図である。図６Ｂは実施形態１のネームプレートを筐体から取り外すときの状態を示す筐体の断面図である。
【図７】図７Ａは実施形態１のネームプレートを筐体に取り付けるときの状態を示す筐体の斜視断面図である。図７Ｂは実施形態１のネームプレートを筐体に取り付けるときの状態を示す筐体の断面図である。
【図８】図８Ａは比較例の筐体の取り付け部付近の斜視図である。図８Ｂは比較例の筐体の取り付け部付近の正面図である。
【図９】図９Ａは比較例の筐体の取り付け部付近の斜視図である。図９Ｂは比較例の筐体の取り付け部付近の正面図である。
【図１０】図１０Ａは実施形態２のネームプレートを取り外した状態の筐体の斜視断面図である。図１０Ｂは実施形態２のネームプレートを取り外した状態の筐体の断面図である。
【図１１】図１１Ａは実施形態２のネームプレートを取り付けた状態の筐体の斜視断面図である。図１１Ｂは実施形態２のネームプレートを取り付けた状態の筐体の断面図である。
【図１２】図１２Ａは実施形態２のネームプレートを筐体から取り外すときの状態を示す筐体の斜視断面図である。図１２Ｂは実施形態２のネームプレートを筐体から取り外すときの状態を示す筐体の断面図である。
【図１３】図１３Ａは実施形態２のネームプレートを筐体に取り付けるときの状態を示す筐体の斜視断面図である。図１３Ｂは実施形態２のネームプレートを筐体に取り付けるときの状態を示す筐体の断面図である。
【図１４】図１４Ａは実施形態３のネームプレートを取り外した状態の筐体の斜視断面図である。図１４Ｂは実施形態３のネームプレートを取り外した状態の筐体の断面図である。
【図１５】図１５Ａは実施形態３のネームプレートを取り付けた状態の筐体の斜視断面図である。図１５Ｂは実施形態３のネームプレートを取り付けた状態の筐体の断面図である。
【図１６】図１６Ａは他の実施形態１のネームプレートを取り外した状態の筐体の斜視断面図である。図１６Ｂは他の実施形態１のネームプレートを取り外した状態の取り付け部付近の図である。
【図１７】図１７Ａは他の実施形態２のネームプレートを取り外した状態の筐体の斜視断面図である。図１７Ｂは他の実施形態２のネームプレートを取り外した状態の取り付け部付近の図である。
【図１８】図１８Ａは他の実施形態３のネームプレートを取り外した状態の筐体の斜視断面図である。図１８Ｂは他の実施形態３のネームプレートを取り外した状態の取り付け部付近の図である。
【図１９】他の実施形態３のネームプレートの斜視図である。
【図２０】図２０Ａは他の実施形態４のネームプレートを取り外した状態の筐体の斜視断面図である。図２０Ｂは他の実施形態４のネームプレートを取り外した状態の取り付け部付近の図である。
【図２１】他の実施形態４のネームプレートの斜視図である。
【図２２】図２２Ａは他の実施形態５のネームプレートを取り外した状態の筐体の斜視断面図である。図２２Ｂは他の実施形態５のネームプレートを取り外した状態の取り付け部付近の図である。
【図２３】図２３Ａは他の実施形態６のネームプレートを取り外した状態の筐体の斜視断面図である。図２３Ｂは他の実施形態６のネームプレートを取り外した状態の取り付け部付近の図である。
【図２４】他の実施形態６のネームプレートの斜視図である。
【図２５】他の実施形態７のネームプレートを筐体に取り付けた状態の筐体の断面図である。
【発明を実施するための形態】
【００１８】
以下、本発明に係るネームプレート１４の取り付け構造について好適な実施形態を挙げ、添付の図面を参照しながら説明する。
【００１９】
〔実施形態１〕
［入出力装置の構成］
図１は入出力ユニット１０の斜視図である。図２は、図１に点線で示す部分Ａの拡大図である。入出力ユニット１０は、ＣＰＵ等のプロセッサを有する制御ユニットに設けられる電子機器である。入出力ユニット１０は樹脂製の筐体１６内に収容されている。筐体１６は、概ね直方体に形成されている。筐体１６の大部分の形状は、射出成型により形成される。入出力ユニット１０は、他の制御ユニット又は周辺機器等との間で信号の送受信を行うケーブルが接続される複数のコネクタ１２を有する。コネクタ１２は筐体１６の表面１６ａから外部に露出している。入出力ユニット１０を図１の状態で見て各コネクタ１２の下部に、各コネクタ１２の名称等の情報を記載した樹脂製のネームプレート１４が取り付けられている。ネームプレート１４は、筐体１６とは別体に形成されている。筐体１６には、ネームプレート１４を取り付ける取り付け部（凹部）１８（図４参照）が形成されている。取り付け部１８は、筐体１６の表面１６ａに開口する凹状に形成されている。ネームプレート１４は筐体１６の取り付け部１８に取り付け及び取り外しが可能に設けられている。
【００２０】
［ネームプレートの構成］
図３Ａ及び図３Ｂはネームプレート１４の斜視図である。図３Ａはネームプレート１４にコネクタ１２の名称等が記載される側の面を手前にして示したネームプレート１４の斜視図である。図３Ｂはネームプレート１４にコネクタ１２の名称等が記載される側の面とは反対の面を手前にして示したネームプレート１４の斜視図である。図３Ａにおいて、ネームプレート１４の長手方向をｘ軸方向とし、右側を正とする。図３Ａにおいて、ネームプレート１４の短手方向をｙ軸方向とし、上側を正とする。図３Ａにおいて、ネームプレート１４にコネクタ１２の名称等が記載される側の面に垂直な方向をｚ軸とし、ネームプレート１４にコネクタ１２の名称等が記載される側の面からネームプレート１４にコネクタ１２の名称等が記載される側の面とは反対の面に向かう向きを正とする。
【００２１】
以下、他の図面においても各座標軸を記載している。他の図面における座標軸は、ネームプレート１４を筐体１６に取り付けたときに、前述のように定義した各座標の方向及び向きと一致させて記載する。
【００２２】
ネームプレート１４は本体部２４と突出部２２とを有している。本体部２４は板状に形成されている。本体部２４は、コネクタ１２の名称等が記載される表面２６と、表面２６の反対側に裏面２８とを有している。本体部２４をｚ軸方向から見ると、本体部２４は略長方形に形成されている。本体部２４の裏面２８には突出部２２が形成されている。突出部２２は裏面２８に対してｚ軸正方向に突出して形成されている。突出部２２は、裏面２８のｙ軸方向の中央部分にｘ軸方向に延びて形成されている。突出部２２は裏面２８のｘ軸方向の正方向端部から負方向端部まで全域にわたって形成されている。
【００２３】
突出部２２は連結部３０と円柱部３２とを有している。円柱部３２は略円柱形状であって、円柱部３２のｚ軸負側の側面の一部が連結部３０と一体に形成されている。そのため、円柱部３２をｘ軸方向から見ると、円のｚ軸負側の一部が切り欠かれた形状となっている。連結部３０は略四角柱状であって、連結部３０のｚ軸負側側面が本体部２４の裏面２８と一体に形成されている。突出部２２をｘ軸方向から見たときに、連結部３０のｙ軸方向の長さ（幅）は円柱部３２の直径の長さよりも短く形成されている。連結部３０のｙ軸方向の中心及び円柱部３２のｙ軸方向の中心は、ｘｚ面に平行な同一平面上に位置している。
【００２４】
［取り付け部の構成］
図４は、図１に点線で示す部分Ａの拡大図であり、ネームプレート１４を筐体１６から取り外した状態を示す図である。
【００２５】
取り付け部１８は、底部１８ａ及び底部１８ａから立設している側面１８ｂ、１８ｃ、１８ｄ、１８ｅにより形成された概ね直方体形状の空間を有している。筐体１６をｚ軸方向から見たときに、取り付け部１８の開口部はネームプレート１４の表面２６よりも若干大きい略長方形状に形成されている。
【００２６】
底部１８ａの中央部付近にはネームプレート１４を筐体１６に対して支持するための挟持部２０が形成されている。挟持部２０は樹脂製であって、筐体１６と一体成型される。挟持部２０は、ネームプレート１４の突出部２２を挟持することにより、ネームプレート１４を筐体１６に対して支持する。挟持部２０は底部１８ａのｘ軸方向に延びて形成されている。挟持部２０は、底部１８ａのｘ軸方向の全域ではなく、ｘ軸方向中央部分の一部に形成されている。
【００２７】
挟持部２０は、底部１８ａからｚ軸負方向に向かって延びる一対の爪部３４ａ、３４ｂから構成されている。爪部３４ａと爪部３４ｂは、底部１８ａのｙ軸方向の中心を通り、且つ、ｘ軸方向と平行な直線を挟んで対向するように配置されている。つまり、ネームプレート１４を筐体１６の取り付け部１８に取り付けた際に、突出部２２を挟持できるように一対の爪部３４ａ、３４ｂ（挟持部２０）が底部１８ａに設けられている。
【００２８】
爪部３４ａ、３４ｂのｚ軸方向の長さ（高さ）は、取り付け部１８のｚ軸方向の長さ（深さ）からネームプレート１４の本体部２４のｚ軸方向の長さ（厚さ）を引いた長さに形成されている。挟持部２０をｘ軸方向から見ると、底部１８ａ側からｚ軸負方向側に向かうにしたがって、爪部３４のｙ軸方向の長さは概ね徐々に短くなるように形成されている。爪部３４ａと爪部３４ｂとが対向する側の面は、底部１８ａ側からｚ軸負方向側に向かって順に、第一脚部３６、保持部３８及び係止部４０を有している。爪部３４ａと爪部３４ｂとが対向する側と反対側の面は、底部１８ａ側からｚ軸負方向側に向かって順に、第二脚部４２及び背面部４４を有している。爪部３４ａ、３４ｂはｚ軸負方向側の先端に先端部４６を有している。先端部４６は挟持部２０の上面（取り付け部１８の開口部側の面）として形成されている。先端部４６は、係止部４０及び背面部４４に連続する面として形成されている。
【００２９】
爪部３４ａ、３４ｂをｘ軸方向から見たときに、第一脚部３６と第二脚部４２とのｙ軸方向の距離（幅）は、ｚ軸負方向側からｚ軸正方向側に向かうにしたがって徐々に長くなるように形成されている。爪部３４ａ、３４ｂをｘ軸方向から見たときに、第一脚部３６は保持部３８よりも内側（爪部３４ａと爪部３４ｂとが向かい合う側）となるように形成されている。爪部３４ａ、３４ｂをｘ軸方向から見たときに、第二脚部４２は背面部４４よりも外側（爪部３４ａと爪部３４ｂとが向かい合う側とは反対側）となるように形成されている。
【００３０】
爪部３４ａ、３４ｂをｘ軸方向から見たときに、保持部３８は、爪部３４ａと爪部３４ｂとが対向する側と反対側に凸の略円弧形状に形成されている。挟持部２０がネームプレート１４の突出部２２を挟持している状態で、保持部３８は突出部２２の円柱部３２の外周面に当接する。保持部３８の円弧の径の大きさは、円柱部３２の外周面の円弧の径の大きさよりも大きく形成されている。
【００３１】
爪部３４ａ、３４ｂをｘ軸方向から見たときに、係止部４０はｚ軸方向に延びる略直線形状に形成されている。挟持部２０がネームプレート１４の突出部２２を挟持していない状態で、爪部３４ａの係止部４０と爪部３４ｂの係止部４０との間のｙ軸方向の距離は、ネームプレート１４の連結部３０のｙ軸方向の長さよりも若干短く、又は連結部３０のｙ軸方向の長さと略同じ長さに形成されている。
【００３２】
爪部３４ａ、３４ｂをｘ軸方向から見たときに、背面部４４はｚ軸負方向側からｚ軸正方向側に向かうにしたがって、外側（爪部３４ａと爪部３４ｂとが向かい合う側とは反対側）に広がるように形成されている。
【００３３】
爪部３４ａ、３４ｂをｘ軸方向から見たときに、先端部４６はｚ軸負方向側に凸の略円弧状に形成されている。爪部３４ａ、３４ｂをｘ軸方向から見たときに、係止部４０のｚ軸正方向側端部から先端部４６のｚ軸負方向側端部までの長さは、突出部２２の連結部３０のｚ軸方向の長さより若干短く形成されている。これにより、挟持部２０が突出部２２を挟持したときに、爪部３４ａ、３４ｂの係止部４０及び先端部４６が、本体部２４の裏面２８と突出部２２の円柱部３２との間に係合する。また挟持部２０が突出部２２を挟持している状態で、本体部２４の裏面２８と先端部４６とが当接する。なお実施形態１において、先端部４６は本発明の支点部に相当する。
【００３４】
［ネームプレートと取り付け部との関係］
図５Ａ及び図５Ｂは、ネームプレート１４を筐体１６に取り付けた状態で、筐体１６をｘｚ平面に平行な面で切断した断面図である。図５Ａは斜視断面図である。図５Ｂはｙ軸負方向側からみた断面図である。図５Ａ及び図５Ｂでは筐体１６を模式的に記載している。
【００３５】
本体部２４の裏面２８は挟持部２０の先端部４６と当接している。取り付け部１８は突出部２２と取り付け部１８の底部１８ａとの間に隙間（空間）を有している。突出部２２と底部１８ａとの間の距離Ｂは、本体部２４のｚ軸方向の長さ（厚さ）より長くなるように設定されている。取り付け部１８の側面１８ｂ、１８ｃ、１８ｄ、１８ｅとネームプレート１４との間には、若干の隙間を有している。
【００３６】
［ネームプレートの取り外し方］
図６Ａ及び図６Ｂはネームプレート１４を筐体１６から取り外すときの状態を示す図である。図６Ａ及び図６Ｂは、筐体１６をｘｚ平面に平行な面で切断した断面図である。図６Ａは斜視断面図である。図６Ｂはｙ軸負方向側からみた断面図である。図６Ａ及び図６Ｂでは筐体１６を模式的に記載している。
【００３７】
ネームプレート１４を筐体１６から取り外すときには、作業者が指先でネームプレート１４の表面２６をｚ軸正方向に押圧する。作業者が押圧する部分は、ネームプレート１４をｙ軸方向から見たときに、ネームプレート１４の表面２６のうち、突出部２２が挟持部２０に挟持されている部分（図６ＢにＣで示す領域）以外の部分（図６ＢにＤ１、Ｄ２で示す領域）である。
【００３８】
例えば、作業者が表面２６の領域Ｃよりもｘ軸負方向側の領域Ｄ１を押圧したと想定する。領域Ｄ１のｚ軸正方向側には、ネームプレート１４と取り付け部１８の底部１８ａとの間に空間がある。また、取り付け部１８の側面１８ｂ、１８ｃ、１８ｄ、１８ｅとネームプレート１４との間には、若干の隙間を有している。そのため、ネームプレート１４は、爪部３４ａ、３４ｂの先端部４６の一部を支点Ｅとして回動する。支点Ｅは、先端部４６のｘ軸負方向側端部の点となる。
【００３９】
このとき、ネームプレート１４のｘ軸正方向側には、ｚ軸負方向側に持ち上がろうとする力が作用する。これにより、突出部２２のｘ軸正方向側の一部が挟持部２０から外れる。作業者が、突出部２２が底部１８ａに当接する状態までネームプレート１４を押圧すると、本体部２４のｘ軸正方向側が筐体１６の表面１６ａから浮き上がった状態となる。作業者は、本体部２４の表面１６ａから浮き上がった部分を指で挟み、ネームプレート１４を引き上げることにより、ネームプレート１４を筐体１６から取り外すことができる。
【００４０】
なお、作業者が表面２６の領域Ｃよりもｘ軸正方向側の領域Ｄ２を押圧するときは、支点Ｅは爪部３４ａ、３４ｂの先端部４６のｘ軸正方向側端部となる。また支点Ｅは点でなくともよい。支点Ｅは、ネームプレート１４の裏面２８と爪部３４ａ、３４ｂの先端部４６との当接部分であるため、実際には支点Ｅは線や面となる。また取り付け部１８の側面１８ｂ、１８ｃ、１８ｄ、１８ｅとネームプレート１４との間の隙間は、ネームプレート１４を回動させたときに、ネームプレート１４が側面１８ｂ、１８ｃ、１８ｄ、１８ｅと干渉しない程度に設定されていればよい。
【００４１】
［ネームプレートの取り付け方］
図７Ａ及び図７Ｂはネームプレート１４を筐体１６に取り付けるときの状態を示す図である。図７Ａ及び図７Ｂは、筐体１６をｘｚ平面に平行な面で切断した断面図である。図７Ａは斜視断面図である。図７Ｂはｙ軸負方向側からみた断面図である。図７Ａ及び図７Ｂでは筐体１６を模式的に記載している。
【００４２】
ネームプレート１４を筐体１６に取り付けるときには、先ず作業者は、ネームプレート１４の突出部２２のｙ軸方向の位置を、挟持部２０のｙ軸方向の位置と一致させるようにして、ネームプレート１４を取り付け部１８に挿入する。突出部２２を爪部３４ａ、３４ｂの先端部４６に当接させた状態で、作業者は指先で表面２６をｚ軸正方向に押圧する。押圧する部分は、ネームプレート１４をｙ軸方向から見たときに、ネームプレート１４の表面２６のうち、突出部２２が挟持部２０に挟持される部分（図７ＢのＦで示す領域）である。このとき、突出部２２が爪部３４ａ、３４ｂを外側に押し広げる。円柱部３２は、爪部３４ａ、３４ｂの係止部４０を通過し、保持部３８と係合する。円柱部３２が保持部３８と係合すると、先端部４６は本体部２４の裏面２８と当接する。また、爪部３４ａ、３４ｂの係止部４０及び先端部４６が、本体部２４の裏面２８と突出部２２の円柱部３２との間に係合する。
【００４３】
［比較例］
比較例のネームプレート１４の取り付け構造について説明する。比較例のネームプレート１４の構成は上述の実施形態１のネームプレート１４の構成と同一である。比較例の筐体１６の取り付け部１８の構成は実施形態１の取り付け部１８の構成と一部異なる。図８Ａ及び図８Ｂは比較例の筐体１６のネームプレート１４の取り付け部１８付近の模式図である。図８Ａは斜視図である。図８Ｂはｚ軸負方向側から見た図である。図９Ａ及び図９Ｂは比較例の筐体１６のネームプレート１４の取り付け部１８付近の模式図である。図９Ａ及び図９Ｂでは、図８Ａ及び図８Ｂの状態からネームプレート１４を取り外した状態を示している。図９Ａは斜視図である。図９Ｂはｚ軸負方向側から見た図である。
【００４４】
以下では、実施形態１の構成に対して比較例の構成が相違する点について説明し、実施形態１と同じ構成については同一の符号を付して説明を省略する。比較例は、取り付け部１８内にリブ５０が設けられている点と、取り付け部１８の１つの側面に挿入溝５２が形成されている点で、実施形態１と相違する。
【００４５】
取り付け部１８の四隅にはリブ５０が形成されている。取り付け部１８をｚ軸方向から見たときに、リブ５０はＬ字状に形成されている。リブ５０のｚ軸方向の長さは、取り付け部１８のｚ軸方向の長さ（深さ）からネームプレート１４の本体部２４のｚ軸方向の長さ（厚さ）を引いた長さに形成されている。このため、ネームプレート１４を取り付け部１８に取り付けたときに、本体部２４の裏面２８はリブ５０のｚ軸負方向側の面と当接する。
【００４６】
取り付け部１８の側面１８ｄの一部には、挿入溝５２が形成されている。取り付け部１８をｚ軸方向から見ると、挿入溝５２は側面１８ｄに対してｙ軸正方向に突出して形成されている。挿入溝５２のｚ軸方向の長さ（深さ）は、取り付け部１８のｚ軸方向長さ（深さ）と略同一に形成されている。挿入溝５２のｘ軸方向の長さ及びｙ軸方向の長さは、例えばマイナスドライバの先端が挿入可能な程度の大きさに形成されている。
【００４７】
比較例では、ネームプレート１４を筐体１６に取り付けるときは、実施形態１と同様にネームプレート１４の表面２６を作業者が自身の指でｚ軸正方向に押圧すればよい。しかし、ネームプレート１４を筐体１６から取り外すときには、作業者はマイナスドライバ等の工具を用いる。工具の先端を挿入溝５２に挿入し、挿入溝５２のｙ軸正方向側の側面を支点として工具を回動させる。これにより、ネームプレート１４の突出部２２が挟持部２０から外れて、ネームプレート１４を筐体１６から取り外すことができる。
【００４８】
比較例では、ネームプレート１４を筐体１６から取り外すときには、マイナスドライバ等の工具が必要となる。ネームプレート１４を筐体１６から容易に取り外すためには、工具を用いないで取り外しができることが望まれる。
【００４９】
また比較例では、取り付け部１８の側面１８ｄからｙ軸正方向に突出して挿入溝５２が形成されている。取り付け部１８をｚ軸方向から見たときに、取り付け部１８の側面１８ｂ、１８ｃ、１８ｄ、１８ｅで囲まれる部分の面積よりも、挿入溝５２の分だけ取り付け部１８の面積が拡大している。小型の電子機器ではネームプレート１４を取り付けることができる面積が限られており、挿入溝５２を形成する面積を確保することができないおそれがある。また挿入溝５２を設けたことにより筐体１６の強度が低下するため、別の箇所で補強等を行う必要がある。また挿入溝５２を設けたことにより、筐体１６の外観を損なうおそれがある。
【００５０】
［作用効果］
実施形態１のネームプレート１４の取り付け構造では、取り付け部１８は、ネームプレート１４と取り付け部１８の底部１８ａとの間に、支点Ｅを回動中心としてネームプレート１４を回動可能とする空間を有する。ネームプレート１４と底部１８ａとの間には、挟持部２０以外にネームプレート１４と干渉するものがない。そのため、作業者がネームプレート１４の表面２６の領域Ｄ１又はＤ２を押圧することにより、挟持部２０の先端部４６を支点Ｅとしてネームプレート１４を回動させることができる（図６Ｂ）。これにより、挟持部２０が挟持していたネームプレート１４の突出部２２が一部外れる。ネームプレート１４の本体部２４のうち、作業者が表面２６を押圧した側と反対側の部分が筐体１６の表面１６ａから浮き上がる。作業者は、本体部２４の筐体１６の表面１６ａから浮き上がった部分を指で挟む等して、ネームプレート１４を引き上げることにより、ネームプレート１４を筐体１６から取り外すことができる。
【００５１】
ネームプレート１４を筐体１６に取り付けるときには、ネームプレート１４の突出部２２の位置を挟持部２０の位置に合わせた状態で、ネームプレート１４の本体部２４の表面２６の領域Ｆの部分をｚ軸正方向に押圧する（図７Ｂ）。これにより、突出部２２が挟持部２０に挟持され、ネームプレート１４は筐体１６に対して支持される。
【００５２】
よって、作業者はネームプレート１４の本体部２４の表面２６を押下するのみで、工具を用いずにネームプレート１４を筐体１６に対して容易に着脱することが可能となり、作業性を向上させることができる。また、ネームプレート１４を筐体１６から取り外すための構造である挟持部２０の先端部４６やネームプレート１４と取り付け部１８の底部１８ａとの間の空間が、取り付け部１８内に設けられている。ネームプレート１４を筐体１６から取り外すための構造の有無に関わらず、取り付け部１８はネームプレート１４を取り付けるスペースとして設ける必要がある。よって、ネームプレート１４を筐体１６から取り外すための構造が占める筐体１６内のスペースを抑制することができる。
【００５３】
またネームプレート１４を筐体１６に取り付けた状態で、取り付け部１８の側面１８ｂ、１８ｃ、１８ｄ、１８ｅとネームプレート１４との間には、若干の隙間を有している。この隙間は、ネームプレート１４を筐体１６から取り外すときに、ネームプレート１４が回動する際に、ネームプレート１４が側面１８ｂ、１８ｃ、１８ｄ、１８ｅと干渉しない程度に形成されていればよい。これにより、例えば比較例のように工具を挿入する挿入溝５２等を形成する場合に比べて、ｚ軸方向から見たときの取り付け部１８が占める面積を小さくすることができる。また筐体１６の強度低下を抑制することができる。またネームプレート１４が筐体１６に取り付けられると、本体部２４が取り付け部１８の開口部の略全域を覆うため、筐体１６の外観を損なうことがない。
【００５４】
また実施形態１のネームプレート１４の取り付け構造では、支点Ｅを挟持部２０の爪部３４ａ、３４ｂの先端部４６に設けた。挟持部２０はネームプレート１４を筐体１６に取り付けるために必要な構造であり、既存の部材である。支点Ｅを設けるために、別途部材を形成する必要がなく、取り付け部１８の構造を簡単にすることができる。したがって、筐体１６を成型する型の形状を簡単にすることができ、型抜きも容易に行うことができる。
【００５５】
また実施形態１のネームプレート１４の取り付け構造では、挟持部２０の爪部３４ａ、３４ｂの保持部３８の面を略円弧状に形成した。これにより、突出部２２の外形に沿って挟持部２０の面が当接することが可能となるため、突出部２２を挟持部２０により保持することが可能となる。よって、ネームプレート１４を筐体１６に対して固定することができる。また挟持部２０の突出部２２を挟持する部分の互いに対向する面がなめらかであるため、突出部２２を挟持部２０から取り外し易く、ネームプレート１４を筐体１６から容易に取り外すことができる。
【００５６】
〔実施形態２〕
実施形態２のネームプレート１４の取り付け構造について説明する。以下では、実施形態１の構成に対して実施形態２の構成が相違する点について説明し、実施形態１と同じ構成については同一の符号を付して説明を省略する。実施形態２のネームプレート１４の構成は、実施形態１のネームプレート１４の構成と同一である。実施形態２は、取り付け部１８の底部１８ａに支持部５４を新たに形成した点で、実施形態１と相違する。
【００５７】
［取り付け部の構成］
図１０Ａ及び図１０Ｂは取り付け部１８付近を示す図である。図１０Ａ及び図１０Ｂはネームプレート１４を筐体１６から取り外した状態を示している。図１０Ａは筐体１６をｘｚ平面に平行な面で切断した斜視断面図である。図１０Ｂは取り付け部１８をｚ軸負方向側から見た図である。図１０Ａ及び図１０Ｂでは筐体１６を模式的に記載している。
【００５８】
取り付け部１８の底部１８ａには支持部５４が形成されている。支持部５４は樹脂製であって、筐体１６と一体成型される。支持部５４は底部１８ａからｚ軸負方向側に延びる略直方体形状に形成されている。支持部５４はｚ軸負方向側端部に当接部５６を有している。当接部５６はｘｙ平面に略平行な面を有している。当接部５６は支持部５４の上面（取り付け部１８の開口部側の面）として形成されている。
【００５９】
支持部５４は、爪部３４ｂのｘ軸負方向側に、爪部３４ｂとは離間して形成されている。支持部５４は、ネームプレート１４を筐体１６に取り付けたときに、ネームプレート１４の突出部２２と干渉しない位置に設けられている。
【００６０】
支持部５４のｚ軸方向の長さは、取り付け部１８のｚ軸方向の長さからネームプレート１４の本体部２４のｚ軸方向の長さ（厚さ）を引いた長さに形成されている。これにより、ネームプレート１４を筐体１６に取り付けたときに、本体部２４の裏面２８が支持部５４の当接部５６に当接する。なお実施形態２において、当接部５６は本発明の支点部に相当する。
【００６１】
爪部３４ａ、３４ｂのｚ軸方向の長さは、取り付け部１８のｚ軸方向の長さからネームプレート１４の本体部２４のｚ軸方向の長さ（厚さ）を引いた長さよりも短く形成されている。これにより、ネームプレート１４を筐体１６に取り付けたときに、本体部２４の裏面２８は爪部３４ａ、３４ｂの先端部４６と当接しない。
【００６２】
［ネームプレートと取り付け部との関係］
図１１Ａ及び図１１Ｂは、ネームプレート１４を筐体１６に取り付けた状態で、筐体１６をｘｚ平面に平行な面で切断した断面図である。図１１Ａは斜視断面図である。図１１Ｂはｙ軸負方向側からみた断面図である。図１１Ａ及び図１１Ｂでは筐体１６を模式的に記載している。本体部２４の裏面２８は挟持部２０の先端部４６と離間している。一方、本体部２４の裏面２８は支持部５４の当接部５６と当接している。
【００６３】
［ネームプレートの取り外し方］
図１２Ａ及び図１２Ｂはネームプレート１４を筐体１６から取り外すときの状態を示す図である。図１２Ａ及び図１２Ｂは、筐体１６をｘｚ平面に平行な面で切断した断面図である。図１２Ａは斜視断面図である。図１２Ｂはｙ軸負方向側からみた断面図である。図１２Ａ及び図１２Ｂでは筐体１６を模式的に記載している。
【００６４】
ネームプレート１４を筐体１６から取り外すときには、作業者が指先でネームプレート１４の表面２６をｚ軸正方向に押圧する。作業者が押圧する部分は、ネームプレート１４をｙ軸方向から見たときに、ネームプレート１４の表面２６のうち、裏面２８の支持部５４の当接部５６と当接している部分（図１２ＢのＧで示す領域）に対して、突出部２２が筐体１６の挟持部２０に挟持されている部分（図１２ＢのＣで示す領域）と反対側の部分（図１２ＢのＤで示す領域）である。
【００６５】
作業者がネームプレート１４の表面２６の領域Ｄを押圧すると、支持部５４の当接部５６の一部を支点Ｅとして回動する。支点Ｅは、当接部５６のｘ軸負方向側端部の点となる。このとき、ネームプレート１４のｘ軸正方向側には、ｚ軸負方向側に持ち上がろうとする力が作用する。これにより、突出部２２のｘ軸正方向側の一部が挟持部２０から外れる。作業者が、突出部２２が底部１８ａに当接する状態までネームプレート１４を押圧すると、本体部２４のｘ軸正方向側が筐体１６の表面１６ａから浮き上がった状態となる。作業者は、本体部２４の表面１６ａから浮き上がった部分を指で挟み、ネームプレート１４を引き上げることにより、ネームプレート１４を筐体１６から取り外すことができる。
【００６６】
［ネームプレートの取り付け方］
図１３Ａ及び図１３Ｂはネームプレート１４を筐体１６に取り付けるときの状態を示す図である。図１３Ａ及び図１３Ｂは、筐体１６をｘｚ平面に平行な面で切断した断面図である。図１３Ａは斜視断面図である。図１３Ｂはｙ軸負方向側からみた断面図である。図１３Ａ及び図１３Ｂでは筐体１６を模式的に記載している。
【００６７】
ネームプレート１４を筐体１６に取り付けるときには、先ず作業者は、ネームプレート１４の突出部２２のｙ軸方向の位置を、挟持部２０のｙ軸方向の位置と一致させるようにして、ネームプレート１４を取り付け部１８に挿入する。突出部２２を爪部３４ａ、３４ｂの先端部４６に当接させた状態で、作業者は指先で表面２６をｚ軸正方向に押圧する。押圧する部分は、ネームプレート１４をｙ軸方向から見たときに、ネームプレート１４の表面２６のうち、突出部２２が挟持部２０に挟持される部分（図１３ＢのＦで示す領域）である。このとき、突出部２２が爪部３４ａ、３４ｂを外側に押し広げる。円柱部３２は、爪部３４ａ、３４ｂの係止部４０を通過し、保持部３８と係合する。円柱部３２が保持部３８と係合すると、先端部４６は本体部２４の裏面２８と当接する。また、爪部３４ａ、３４ｂの係止部４０及び先端部４６が、本体部２４の裏面２８と突出部２２の円柱部３２との間に係合する。
【００６８】
［作用効果］
実施形態２のネームプレート１４の取り付け構造では、支点Ｅを挟持部２０とは別体に形成した支持部５４の当接部５６に設ける。挟持部２０に支点Ｅを設ける場合に比べて、支点Ｅを設ける位置を自由に選択することができ、取り付け部１８の設計自由度を高めることができる。
【００６９】
実施形態２のネームプレート１４の取り付け構造では、ネームプレート１４の突出部２２を挟持部２０により挟持した状態で、ネームプレート１４を筐体１６から取り外すときに支点Ｅとなる支持部５４の当接部５６が、本体部２４の裏面２８と当接する。これにより、ネームプレート１４を筐体１６に取り付けたときに、本体部２４を支持部５４により安定して支持することができる。
【００７０】
〔実施形態３〕
実施形態３のネームプレート１４の取り付け構造について説明する。以下では、実施形態１の構成に対して実施形態２の構成が相違する点について説明し、実施形態１と同じ構成については同一の符号を付して説明を省略する。実施形態３のネームプレート１４の構成は、実施形態１のネームプレート１４の構成と同一である。実施形態３は、取り付け部１８の底部１８ａに支持部６０ａ〜６０ｄを新たに形成した点で、実施形態１と相違する。
【００７１】
［取り付け部の構成］
図１４Ａ及び図１４Ｂは取り付け部１８付近を示す図である。図１４Ａ及び図１４Ｂはネームプレート１４を筐体１６から取り外した状態を示している。図１４Ａは筐体１６をｘｚ平面に平行な面で切断した斜視断面図である。図１４Ｂは取り付け部１８をｚ軸負方向側から見た図である。図１４Ａ及び図１４Ｂでは筐体１６を模式的に記載している。
【００７２】
取り付け部１８の底部１８ａには支持部６０ａ〜６０ｄが四本形成されている。爪部３４ａのｘ軸正方向側に離間して支持部６０ａが形成され、爪部３４ｂのｘ軸正方向側に離間して支持部６０ｂが形成されている。爪部３４ａのｘ軸負方向側に離間して支持部６０ｃが形成され、爪部３４ｂのｘ軸負方向側に離間して支持部６０ｄが形成されている。
【００７３】
支持部６０ａと支持部６０ｂとは、取り付け部１８の底部１８ａのｙ軸方向の中心を通り、且つ、ｘ軸方向と平行な直線を挟んで対向するように配置されている。支持部６０ａと支持部６０ｂとの間のｙ軸方向の距離は、ネームプレート１４の突出部２２のｙ軸方向の幅（長さ）よりも長く形成されている。支持部６０ｃと支持部６０ｄとは、取り付け部１８の底部１８ａのｙ軸方向の中心を通り、且つ、ｘ軸方向と平行な直線を挟んで対向するように配置されている。支持部６０ｃと支持部６０ｄとの間のｙ軸方向の距離は、ネームプレート１４の突出部２２のｙ軸方向の幅（長さ）よりも長く形成されている。これにより、ネームプレート１４を筐体１６に取り付けたときに、突出部２２を、支持部６０ａと支持部６０ｂとの間及び支持部６０ｃと支持部６０ｄとの間に収容することができる。
【００７４】
支持部６０ａ〜６０ｄは底部１８ａからｚ軸負方向側に延びるように形成されている。支持部６０ａ〜６０ｄは略直方体形状に形成されている。支持部６０ａ〜６０ｄはｚ軸負方向側端部に当接部６２を有している。当接部６２はｘｙ平面に略平行な面を有している。当接部６２は支持部６０ａ〜６０ｄの上面（取り付け部１８の開口部側の面）として形成されている。支持部６０ａ〜６０ｄは、樹脂製であって、筐体１６と一体成型される。支持部６０ａ〜６０ｄのｚ軸方向の長さは、取り付け部１８のｚ軸方向の長さからネームプレート１４の本体部２４のｚ軸方向の長さ（厚さ）を引いた長さに形成されている。これにより、ネームプレート１４を筐体１６に取り付けたときに、本体部２４の裏面２８が支持部６０ａ〜６０ｄの当接部６２に当接する。なお実施形態３において当接部６２は本発明の支点部に相当する。
【００７５】
爪部３４ａ、３４ｂのｚ軸方向の長さは、取り付け部１８のｚ軸方向の長さからネームプレート１４の本体部２４のｚ軸方向の長さ（厚さ）を引いた長さよりも短く形成されている。これにより、ネームプレート１４を筐体１６に取り付けたときに、本体部２４の裏面２８は爪部３４ａ、３４ｂの先端部４６と当接しない。
【００７６】
［ネームプレートと取り付け部との関係］
図１５Ａ及び図１５Ｂは、ネームプレート１４を筐体１６に取り付けた状態で、筐体１６をｘｚ平面に平行な面で切断した断面図である。図１５Ａは斜視断面図である。図１５Ｂはｙ軸負方向側からみた断面図である。図１５Ａ及び図１５Ｂでは筐体１６を模式的に記載している。本体部２４の裏面２８は挟持部２０の先端部４６と離間している。一方、本体部２４の裏面２８は支持部６０ａ〜６０ｄの当接部６２と当接している。
【００７７】
［ネームプレートの取り外し方］
ネームプレート１４を筐体１６から取り外すときのネームプレート１４の動きは実施形態２と略同様である。ただし、実施形態２の支持部５４と異なり、実施形態３の支持部６０ａ〜６０ｄは挟持部２０に対してｘ軸方向の両側に設けられている。そのため、作業者はネームプレート１４の表面２６のうち、挟持部２０に対してｘ軸方向の両側のどちらを押圧してもネームプレート１４を取り外すことができる。
【００７８】
作業者が表面２６のうち、支持部６０ａ及び支持部６０ｂよりもｘ軸正方向側（挟持部２０に対してｘ軸正方向側）を押圧すると、ネームプレート１４は支持部６０ａの当接部６２及び支持部６０ｂの当接部６２のｘ軸正方向側の点を支点として回動する。作業者が表面２６の支持部６０ｃ及び支持部６０ｄのｘ軸負方向側（挟持部２０に対してｘ軸負方向側）を押圧すると、ネームプレート１４は支持部６０ｃの当接部６２及び支持部６０ｄの当接部６２のｘ軸負方向側の点を支点として回動する。
【００７９】
［作用効果］
実施形態３のネームプレート１４の取り付け構造では、支持部６０ａ〜６０ｄは挟持部２０を挟んで両側に形成される。これにより、ネームプレート１４の表面２６の挟持部２０を挟んで両側のどちらを押圧しても、ネームプレート１４を筐体１６から取り外すことが可能となる。よって、作業性を向上させることができる。また挟持部２０を挟んで両側の支持部６０ａ〜６０ｄの当接部６２によって本体部２４を支持することが可能となる。これにより、ネームプレート１４が筐体１６に対して傾くことを抑制することができ、ネームプレート１４を安定して支持することができる。
【００８０】
〔他の実施形態〕
なお、この発明は、上述した実施形態に限定されるものではなく、この発明の主旨を逸脱しない範囲で自由に変更してもよい。
【００８１】
［他の実施形態１］
図１６Ａ及び図１６Ｂは取り付け部１８付近を示す図である。図１６Ａ及び図１６Ｂはネームプレート１４を筐体１６から取り外した状態を示している。図１６Ａは筐体１６をｘｚ平面に平行な面で切断した斜視断面図である。図１６Ｂは取り付け部１８をｚ軸負方向側から見た図である。図１６Ａ及び図１６Ｂでは筐体１６を模式的に記載している。
【００８２】
実施形態２では、支持部５４を挟持部２０のｘ軸負方向側に一本形成していた（図１０Ａ及び図１０Ｂ参照）。この構成を変更して、支持部５４を複数本形成するようにしてもよい。例えば図１６Ａ及び図１６Ｂに示すように、取り付け部１８の底部１８ａに支持部５４を二本形成するようにしてもよい。爪部３４ａのｘ軸負方向側に離間して支持部５４ａが、爪部３４ｂのｘ軸負方向側に離間して支持部５４ｂが形成されている。支持部５４を複数本設けることにより、ネームプレート１４を１本の支持部５４により支持する場合に比べて、ネームプレート１４を回動させるときにネームプレート１４を安定して支持することができる。また支持部５４を複数本設けることにより、ネームプレート１４を１本の支持部５４により支持する場合に比べて、ネームプレート１４を筐体１６に取り付けた状態においても、ネームプレート１４を安定して支持することができる。
【００８３】
また実施形態２では、挟持部２０を底部１８ａの中央部付近に形成していた。この構成を変更して、例えば図１６Ａ及び図１６Ｂに示すように、挟持部２０を底部１８ａの中央部に対してｘ軸正方向側寄りに形成するようにしてもよい。他の実施形態１では、支持部５４ａ、５４ｂを挟持部２０に対してｘ軸負方向側に形成している。挟持部２０を底部１８ａの中央部に対してｘ軸正方向側寄りに形成することで、支持部５４ａ、５４ｂと挟持部２０との距離を離すことが可能となる。よって、ネームプレート１４を安定して支持することができる。
【００８４】
［他の実施形態２］
図１７Ａ及び図１７Ｂは取り付け部１８付近を示す図である。図１７Ａ及び図１７Ｂはネームプレート１４を筐体１６から取り外した状態を示している。図１７Ａは筐体１６をｘｚ平面に平行な面で切断した斜視断面図である。図１７Ｂは取り付け部１８をｚ軸負方向側から見た図である。図１７Ａ及び図１７Ｂでは筐体１６を模式的に記載している。
【００８５】
実施形態２では、支持部５４は挟持部２０のｘ軸負方向側にのみ形成されていた。この構成を変更して、支持部５４を挟持部２０のｘ軸正方向側にも形成するようにしてもよい。例えば図１７Ａ及び図１７Ｂに示すように、支持部５４ａ及び支持部５４ｂを、挟持部２０のｘ軸負方向側からｘ軸正方向側にかけて形成するようにしてもよい。支持部５４ａのｙ軸正方向側は側面１８ｄに接続している。支持部５４ｂのｙ軸負方向側は側面１８ｂに接続している。支持部５４ａ及び支持部５４ｂのｘ軸負方向側端部は、挟持部２０のｘ軸負方向側端部よりもｘ軸負方向側に位置するが、側面１８ｄとは離間している。支持部５４ａ及び支持部５４ｂのｘ軸正方向側端部は、側面１８ｃに接続している。
【００８６】
他の実施形態２では、支持部５４ａ及び支持部５４ｂがｙ軸方向に離間して形成されているため、ネームプレート１４の本体部２４のｙ軸方向の傾きを抑制することができ、ネームプレート１４を安定して支持することができる。また他の実施形態２では、支持部５４ａ及び支持部５４ｂがｘ軸方向に延びるように形成されているため、ネームプレート１４の本体部２４のｘ軸方向の傾きを抑制することができ、ネームプレート１４を安定して支持することができる。また他の実施形態２では、支持部５４ａ及び支持部５４ｂのｘ軸負方向側が、側面１８ｅと離間している。これにより、取り付け部１８内にネームプレート１４が回動する空間を確保することができる。
【００８７】
［他の実施形態３］
図１８Ａ及び図１８Ｂは取り付け部１８付近を示す図である。図１８Ａ及び図１８Ｂはネームプレート１４を筐体１６から取り外した状態を示している。図１８Ａは筐体１６をｘｚ平面に平行な面で切断した斜視断面図である。図１８Ｂは取り付け部１８をｚ軸負方向側から見た図である。図１８Ａ及び図１８Ｂでは筐体１６を模式的に記載している。
【００８８】
実施形態２では、支持部５４は爪部３４ｂのｘ軸負方向側のみに設けられていた（図１０Ａ及び図１０Ｂ参照）。この構成を変更して、支持部５４を爪部３４ａのｘ軸負方向側にも設けるようにしてもよい。例えば図１８Ａ及び図１８Ｂに示すように、支持部５４を底部１８ａのｙ軸方向の中央部を跨いで、ｙ軸方向に延びるように形成するようにしてもよい。支持部５４は、爪部３４ａ及び爪部３４ｂに対してｘ軸負方向側に離間して形成されている。
【００８９】
他の実施形態３では、支持部５４をｙ軸方向の延びるように形成しているため、ネームプレート１４のｙ軸方向の傾きを抑制することが可能となる。よって、ネームプレート１４を安定して支持することができる。
【００９０】
なお、他の実施形態３ではネームプレート１４の突出部２２の形状が実施形態１〜実施形態３とは異なる。図１９はネームプレート１４の斜視図である。実施形態１〜実施形態３では、突出部２２を裏面２８のｘ軸方向の正方向端部から負方向端部まで全域にわたって形成していた（図３Ｂ参照）。この構成を変更して、突出部２２を裏面２８のｘ軸方向において一部に形成するようにしてもよい。例えば図１９に示すように、突出部２２を裏面２８のｘ軸方向の中央部に対して、ｘ軸正方向寄りに形成するようにしてもよい。
【００９１】
他の実施形態３では、支持部５４は底部１８ａのｙ軸方向の中央部を跨いで形成されている。突出部２２を裏面２８のｘ軸方向において一部に形成するようにしたため、突出部２２と支持部５４との干渉を避けることができる。
【００９２】
［他の実施形態４］
図２０Ａ及び図２０Ｂは取り付け部１８付近を示す図である。図２０Ａ及び図２０Ｂはネームプレート１４を筐体１６から取り外した状態を示している。図２０Ａは筐体１６をｘｚ平面に平行な面で切断した斜視断面図である。図２０Ｂは取り付け部１８をｚ軸負方向側から見た図である。図２０Ａ及び図２０Ｂでは筐体１６を模式的に記載している。
【００９３】
実施形態１〜実施形態３では、挟持部２０の爪部３４ａと爪部３４ｂを、取り付け部１８の底部１８ａのｙ軸方向の中心を通り、且つ、ｘ軸方向と平行な直線を挟んで対向するように配置していた（図４参照）。この構成を変更して、例えば図２０Ａ及び図２０Ｂに示すように、爪部３４ａと爪部３４ｂを、取り付け部１８の底部１８ａのｘ軸方向の中心を通り、且つ、ｙ軸方向と平行な直線を挟んで対向するように配置するようにしてもよい。
【００９４】
なお、他の実施形態４ではネームプレート１４の突出部２２の形状が実施形態１〜実施形態３とは異なる。図２１はネームプレート１４の斜視図である。実施形態１〜実施形態３では、突出部２２を裏面２８のｙ軸方向の中央部分にｘ軸方向に延びて形成していた（図３Ｂ参照）。この構成を変更して、図２１に示すように突出部２２を裏面２８のｘ軸方向の中央部分にｙ軸方向に延びて形成した。これにより、図２０Ａ及び図２０Ｂに示すように爪部３４ａと爪部３４ｂをｙ軸方向の直線を挟んで対向するように配置して形成した筐体１６にも、ネームプレート１４を取り付けることができる。
【００９５】
［他の実施形態５］
図２２Ａ及び図２２Ｂは取り付け部１８付近を示す図である。図２２Ａ及び図２２Ｂはネームプレート１４を筐体１６から取り外した状態を示している。図２２Ａは筐体１６をｘｚ平面に平行な面で切断した斜視断面図である。図２２Ｂは取り付け部１８をｚ軸負方向側から見た図である。図２２Ａ及び図２２Ｂでは筐体１６を模式的に記載している。
【００９６】
実施形態３では、支持部６０ａ〜６０ｄを四本形成していた。この構成を変更して、例えば図２２Ａ及び図２２Ｂに示すように、支持部６０ａ、６０ｄを二本形成するようにしてもよい。爪部３４ａのｘ軸正方向側に離間して支持部６０ａが、爪部３４ｂのｘ軸負方向側に離間して支持部６０ｄが形成されている。
【００９７】
支持部６０ａ〜６０ｄの本数を減らすことによって、筐体１６を成型する型の形状を簡易にすることができる。また、支持部６０ａと支持部６０ｄは、ネームプレート１４を裏面２８と、裏面２８の対角線上で接することとなるため、ネームプレート１４を安定して支持することができる。
【００９８】
［他の実施形態６］
図２３Ａ及び図２３Ｂは取り付け部１８付近を示す図である。図２３Ａ及び図２３Ｂはネームプレート１４を筐体１６から取り外した状態を示している。図２３Ａは筐体１６をｘｚ平面に平行な面で切断した斜視断面図である。図２３Ｂは取り付け部１８をｚ軸負方向側から見た図である。図２３Ａ及び図２３Ｂでは筐体１６を模式的に記載している。
【００９９】
実施形態３では、挟持部２０に対してｘ軸正方向側の支持部６０ａと支持部６０ｂをｙ軸方向に離間して形成し、挟持部２０に対してｘ軸負方向側の支持部６０ｃと支持部６０ｄをｙ軸方向に離間して形成していた（図１４Ａ及び図１４Ｂ参照）。この構成を変更して、例えば図２３Ａ及び図２３Ｂに示すように、支持部６０ａと支持部６０ｂを一体に形成して支持部６０ｅとし、支持部６０ｃと支持部６０ｄを一体に形成して支持部６０ｆとしてもよい。
【０１００】
他の実施形態６では支持部６０ｅ及び支持部６０ｆを、実施形態３の支持部６０ａ〜６０ｄに比べて体積を大きく形成することができる。これにより、筐体１６を成型する型の構造を簡易にすることができ、また型を抜きやすくすることができる。
【０１０１】
なお、他の実施形態６ではネームプレート１４の突出部２２の形状が実施形態１〜実施形態３とは異なる。図２４はネームプレート１４の斜視図である。実施形態１〜実施形態３では突出部２２を裏面２８のｘ軸方向の正方向端部から負方向端部まで全域にわたって形成していた（図３Ｂ参照）。この構成を変更して、突出部２２を裏面２８のｘ軸方向において一部に形成するようにしてもよい。例えば図２４に示すように、突出部２２を裏面２８のｘ軸方向の中央部付近にのみ形成するようにしてもよい。
【０１０２】
他の実施形態６では、支持部６０ｅ及び支持部６０ｆは底部１８ａのｙ軸方向の中央部を跨いで形成されている。突出部２２を裏面２８のｘ軸方向において一部に形成するようにしたため、突出部２２と支持部５４との干渉を避けることができる。
【０１０３】
［他の実施形態７］
図２５はネームプレート１４を筐体１６に取り付けた状態で、筐体１６をｘｚ平面に平行な面で切断した断面図である。図２５はｙ軸負方向側からみた断面図である。
【０１０４】
実施形態３では、支持部６０ａ〜６０ｄはｘｙ平面に略平行な面である当接部６２を有していた。この構成を図２５に示すように、当接部６２に隣接してＲ部６４を設けるようにしてもよい。支持部６０ａ及び支持部６０ｂには、Ｒ部６４は当接部６２のｘ軸正方向側に隣接して形成されている。支持部６０ｃ及び支持部６０ｄには、Ｒ部６４は当接部６２のｘ軸負方向側に隣接して形成されている。支持部６０ａ及び６０ｂをｙ軸方向から見たときに、Ｒ部６４は、当接部６２とｘ軸正方向側の側面との間を円弧状に繋ぐ曲面に形成されている。支持部６０ｃ及び６０ｄをｙ軸方向から見たときに、Ｒ部６４は、当接部６２とｘ軸負方向側の側面との間を円弧状に繋ぐ曲面に形成されている。これにより、ネームプレート１４を筐体１６から取り外すときに、ネームプレート１４を支持部６０ａ〜６０ｄ上で回動させ易くすることができる。
【０１０５】
［その他］
実施形態１〜実施形態３では、ネームプレート１４を筐体１６から取り外すときには、ネームプレート１４の裏面２８と接する爪部３４ａ、３４ｂ、支持部５４又は支持部６０の一部を支点Ｅとして、ネームプレート１４が回動するようにした。この構成に代えて、取り付け部１８側にネームプレート１４の突出部２２と接する部分を設け、突出部２２が接する部分を支点Ｅとして、ネームプレート１４が回動するようにしてもよい。
【０１０６】
また実施形態２又は実施形態３では、支持部５４又は支持部６０を取り付け部１８の底部１８ａからｚ軸負方向に延びるように形成した。この構成に代えて、支持部５４、６０を側面１８ｂ又は側面１８ｄからｘ軸方向に延びるようにして形成してもよい。この場合、支持部５４、６０は底部１８ａと接続していなくともよい。
【符号の説明】
【０１０７】
１４…ネームプレート        １６…筐体  
１８…取り付け部（凹部）    ２０…挟持部  
２２…突出部                ２４…本体部  
４６…先端部（支点部）      ５４、５４ａ、５４ｂ、６０ａ〜６０ｆ…支持部  
５６、６２…当接部（支点部）      
【図１】
2018031997.tif 000003
【図２】
2018031997.tif 000004
【図３】
2018031997.tif 000005
【図４】
2018031997.tif 000006
【図５】
2018031997.tif 000007
【図６】
2018031997.tif 000008
【図７】
2018031997.tif 000009
【図８】
2018031997.tif 000010
【図９】
2018031997.tif 000011
【図１０】
2018031997.tif 000012
【図１１】
2018031997.tif 000013
【図１２】
2018031997.tif 000014
【図１３】
2018031997.tif 000015
【図１４】
2018031997.tif 000016
【図１５】
2018031997.tif 000017
【図１６】
2018031997.tif 000018
【図１７】
2018031997.tif 000019
【図１８】
2018031997.tif 000020
【図１９】
2018031997.tif 000021
【図２０】
2018031997.tif 000022
【図２１】
2018031997.tif 000023
【図２２】
2018031997.tif 000024
【図２３】
2018031997.tif 000025
【図２４】
2018031997.tif 000026
【図２５】
2018031997.tif 000027